(57)【要約】  本発明のシステム、装置及び方法は、OFDMキャリアを最適に切り替えることにより利用可能な無線チャネルを日和見主義的に拡張し及び制限する方途を提供する。本発明は、他の装置及びスペクトラム占有情報の信頼性の高い記憶装置とスペクトラム占有情報を交換するために、スペクトラム占有情報要素200及びローカルスペクトラム占有データベース505をそれぞれ使用し、それらの伝送容量が非常に増強されるような方法で、それらの両方はアジャイル無線のシームレス動作を可能にする。
2008545318.tif 000002
【特許請求の範囲】
【請求項１】
アジャイル装置による無線周波数スペクトラムのチャネル間の切り替え方法であって、
無線周波数スペクトラムの占有の測定結果を生成するために媒体をスキャンするステップ、
無線周波数スペクトラムの占有された部分のスキャンされた測定結果をデータベースに記録するステップ、
前記データベース内の前記記録された測定結果から利用可能なスペクトラムバンド幅を決定するステップ、
アンダーレイアプローチにより、スペクトラム占有情報として利用可能な前記決定されたスペクトラムバンド幅を送信するステップ、
他のアジャイル装置からスペクトラム占有情報を受信するステップ、
使用されていない無線スペクトラムの部分を取得するために前記送信されたスペクトラム占有情報と前記受信されたスペクトラム占有情報とのAND演算を行うステップ、
前記記録された占有された部分における前記アジャイル装置による送信をオフにするステップ、及び
前記AND演算ステップの結果として取得される使用されていない無線スペクトラムの部分における前記アジャイル装置による送信をオンにするステップを有する方法。
【請求項２】
前記アジャイル装置が送信すべきデータを有していないときはいつでも、前記スキャンするステップが実行される請求項１に記載の方法。
【請求項３】
プライマリの及びセカンダリの少なくとも１つの既定の定義によって、スキャンされた測定結果が占有された部分であることを決定するステップをさらに有する請求項１に記載の方法。
【請求項４】
プライマリは少なくとも１つの認可された帯域において動作する認可された無線システムであり、セカンダリは、ISM又はU-NII帯域において動作する認可されていない無線システムである請求項３に記載の方法。
【請求項５】
前記オフにするステップが、プライマリによる新たな占有が検出されたときはいつでも、対応するキャリアを直ちにオフにするステップをさらに有する請求項３に記載の方法。
【請求項６】
前記スキャンするステップに先立って、無線周波数スペクトラムを予め定められた数であるN個の小さなチャネルに分割するステップ、及び
前記N個の小さなチャネル各々の占有のスキャンされた測定結果によって前記データベースが更新されるように、前記N個の小さなチャネル各々に対して前記スキャン及び記録するステップを実行するステップをさらに有する請求項１に記載の方法。
【請求項７】
プライマリの及びセカンダリの少なくとも１つの既定の定義を用いて、スキャンされた測定結果が占有された部分であることを決定するステップをさらに有する請求項６に記載の方法。
【請求項８】
前記アジャイル装置が送信すべきデータを有していないときはいつでも、前記スキャンするステップが実行される請求項７に記載の方法。
【請求項９】
前記オフにするステップが、プライマリによる新たな占有が検出されたときはいつでも、対応するキャリアを直ちにオフにするステップをさらに有する請求項８に記載の方法。
【請求項１０】
前記アジャイル装置が送信しているとき、既定の長さの時間、受信機によって送信される肯定応答を待つステップをさらに有し、
前記アジャイル装置が受信機からNACKフレームを受信する場合、前記アジャイル装置は、セカンダリ装置による占有を記録するために前記記録するステップを実行し、並びに
前記アジャイル装置が受信機からNACKフレームを受信しない場合、前記アジャイル装置は、既定の検知時間の間待機するステップ、及び前記検知時間の間にプライマリからの活動がある場合に当該プライマリ装置による占有を記録するために前記記録するステップを実行する請求項９に記載の方法。
【請求項１１】
MBOA UWB MAC、IEEE 802.11プロトコル、TDMAプロトコル及びFDMAプロトコルからなる群から選択される少なくとも１つの標準プロトコルを実施するステップ、及び
各々の実施された標準プロトコルに対して、標準に準拠した様式で送信される情報要素においてスペクトラム占有情報を提供するアンダーレイアプローチを用いて、スペクトラム占有情報を交換するステップをさらに有する請求項１０に記載の方法。
【請求項１２】
前記少なくとも１つの標準プロトコルがMBOA UWB MACである場合、
前記アジャイル装置によって利用可能であると決定された前記スペクトラムバンド幅を、装置固有のビーコンに含まれる情報要素において送信するステップ、及び
他のアジャイル装置によって決定された利用可能であるスペクトラムバンド幅を含む前記情報要素を含む他のアジャイル装置からのビーコンを受信するステップをさらに有する請求項１１に記載の方法。
【請求項１３】
前記少なくとも１つの標準プロトコルがIEEE 802.11プロトコルである場合、
前記アジャイル装置により利用可能であると決定された前記スペクトラムバンド幅を、延長された送信準備完了（ready-to-send : RTS）メッセージの情報要素において送信するステップ、及び
他のアジャイル装置によって決定された利用可能であるスペクトラムバンド幅を、延長された送信許可（clear-to-send : CTS）メッセージの情報要素において受信するステップをさらに有する請求項１１に記載の方法。
【請求項１４】
前記少なくとも１つの標準プロトコルがTDMAである場合、
ビーコンフレームの送信後のスーパーフレーム内のスロットのうちの１つを放送スロットとして専用にするステップ、
最新のスーパーフレーム内で全てのアジャイル装置受信機によって送信される全てのスペクトラム測定結果に対する情報を基地局により収集するステップ、
前記収集した情報を用いて前記AND演算ステップを前記基地局により実行するステップ、及び
全てのアジャイル装置受信機に前記AND演算の結果を前記基地局により前記放送スロットにおいて送信するステップをさらに有する請求項１１に記載の方法。
【請求項１５】
前記少なくとも１つの標準プロトコルがFDMAである場合、
TDMA様式又は競合ベース様式のうちの１つにおいて、低い周波数バンド幅を有する予め定められたチャネルを制御チャネルとして使用するステップ、及び
前記制御チャネルにおいて前記送信及び受信するステップを実行するステップをさらに有する請求項１１に記載の方法。
【請求項１６】
アジャイル無線のためのキャリア切替装置であって、
アンテナ、
無線スペクトラム占有に関して媒体を検知し、他のアジャイル無線からスペクトラム占有情報を受信するために前記アンテナに接続された受信機、
他のアジャイル無線に無線スペクトラム占有情報を送信するためにアンダーレイアプローチを用いるように前記アンテナに接続された送信機、及び
前記検知された無線スペクトラム占有から無線周波数スペクトラムの占有された部分をそれぞれ決定し、前記無線周波数スペクトラムの使用されていない部分を取得するために前記決定された占有された部分のデータを前記受信された占有情報のデータと結合し、及び他のアジャイル無線にスペクトラム占有情報として前記結合されたデータを送信するための、前記受信機及び前記送信機に接続されたキャリア切替モジュールを有し、
前記受信機は前記アジャイル無線が送信していないときにのみ前記媒体を検知し、前記キャリア切替モジュールは、プライマリによる新たな占有が検出されたときはいつでも、当該新たな占有のキャリアが直ちにオフにされるように、占有された部分をオフにして使用されていない部分をオンにする装置。
【請求項１７】
少なくとも１つの既知のプライマリシグニチャ及びスペクトラム占有データを含むデータベース、及び
占有されたスペクトラムを記述する情報要素を生成し、前記要素を前記アジャイル無線のプロトコルに従って全てのアジャイル無線受信機に送信する、前記送信機及びデータベースに接続された情報要素処理モジュールをさらに有し、
前記キャリア切替モジュールがさらに、少なくとも１つの既知のプライマリシグニチャ及び前記検出された無線スペクトル内のセカンダリの存在を用いて、前記スペクトラム占有データとして前記データベース内の前記無線周波数スペクトラムの占有の測定結果を生成し、記憶し、取り出し及び更新する請求項１６に記載の装置。
【請求項１８】
アジャイル無線のためのキャリア切替装置であって、
アンテナ、
無線スペクトラム占有に関して媒体を検知し、他のアジャイル装置からのスペクトラム占有情報要素内のスペクトラム占有情報を受信するために前記アンテナに接続された受信機、
他のアジャイル無線にスペクトラム占有情報要素内で無線スペクトラム占有情報を送信するためにアンダーレイアプローチを用いるように前記アンテナに接続された送信機、
検出された無線スペクトラム占有及び他のアジャイル装置から受信されたスペクトラム占有情報要素を記録し、データベース内に記憶された、記録及び検出された無線スペクトラム占有情報からスペクトラム占有情報要素を生成し及び他のアジャイル装置に送信する情報要素処理モジュール、並びに
前記受信機、前記送信機及び前記データベースに接続されたキャリア切替モジュールを有し、
前記キャリア切替モジュールは前記無線周波数スペクトラムのチャネル間で前記アジャイル無線を切り替えるキャリア切替装置。
【請求項１９】
前記キャリア切替モジュールがさらに、
使用されていない無線スペクトラムの部分を取得するために前記送信されたスペクトラム占有情報要素及び受信されたスペクトラム占有情報要素をAND演算し、
前記記録された占有された部分における前記アジャイル無線による送信をオフにし、及び
使用されていない前記無線スペクトラムの部分における前記アジャイル無線による送信をオンにする請求項１８に記載のキャリア切替装置。
【請求項２０】
請求項１に記載の方法を実行し、それにより日和見主義的に利用可能な無線チャネルを拡張し及び制限する複数のアジャイル無線装置を有し、直交周波数分割多重化キャリアの切り替えが、アジャイル無線システムによる無線周波数スペクトラムの増加された使用を生じさせるキャリア切替アジャイル無線システム。
【発明の詳細な説明】
【技術分野】
【０００１】
この発明は、直交周波数分割多重化（OFDM）キャリアを最適に切り替えることによって、利用可能な無線チャネルを日和見主義的に拡張し及び制限するためのシステム、装置及び方法を提供する。
【背景技術】
【０００２】
アジャイル無線は、そのチャネル変調波形がソフトウェアにおいて規定されるアジャイル装置である。すなわち、波形はサンプリングされたデジタル信号として生成されて、広帯域AD変換器（DAC）を介してデジタルからアナログに変換されて、そして場合により中間周波数（IF）から無線周波数（RF）へ、高い周波数に変換される。同様に、受信機はソフトウェア無線ノードのチャネルの全てを取り込む広帯域AD変換器（ADC）を使用する。そして受信機は、汎用プロセッサ上でソフトウェアを用いて、チャネル波形を抽出し、低い周波数に変換し、そして復調する。
【０００３】
そしてアジャイル無線は、単一の無線実装を用いて、任意のサポートされた無線プロトコル又は関連する周波数帯を選択する能力を提供する。アジャイル無線システムは空いているスペクトラムをスキャンすることができ、そして、データ又は音声のパケットを送信するために、日和見主義的にそれを横取りして用いることができる。アジャイル送信機又はスペクトラム拡散技術によって、多くの異なる送信機は、厳しい"ブロッキング"制限なしで同一の広い周波数帯において動作することができる。アジャイル無線は、無使用の期間の間に他のユーザのスペクトラムへ侵入することによって動作し、これらのシステムがオーバーロードする場合、音声品質が低下し、エラーがデータトラフィックに入り込む。それらは「優雅に退化する」（degrade gracefully）と言われている。
【発明の開示】
【発明が解決しようとする課題】
【０００４】
現在、実際に使用するためのスペクトラムをスキャンし、使用のタイプを決定し、そして決定された使用のタイプのそれぞれの記録を保持する以外に、装置がスペクトラム占有を決定する方法がない。したがって、スペクトラム占有及び占有タイプを決定するためのより効率的かつ一貫した方途が必要である。
【課題を解決するための手段】
【０００５】
本発明のシステム、装置及び方法は、直交周波数分割変調（OFDM）キャリアを最適に切り替えることによって日和見主義的に利用可能な無線チャネルを拡張して及び制限するために、タイプ2のアジャイル無線用の方途を提供する。本発明のプロトコルは初めてのものあって、利用可能な無線通信容量が非常に増強されるような方法で、アジャイル無線のシームレスな動作を可能にする。
【０００６】
本発明のシステム、装置及び方法は、スペクトラム占有情報を示すために全てのアジャイル装置によって送信され、アジャイル装置が送信していないときにスキャンされ、すなわち受信されるスペクトラム占有情報要素（SOIE）200を使用する。スキャンされた情報のローカルデータベースは、スペクトラム占有に関する各々のアジャイル装置によって維持される。プライマリによる占有が検出される場合、アジャイル無線は、プライマリによって占有されるチャネルをオフにする。プライマリは、認可された帯域において動作する認可された無線システムである。セカンダリ又は他のアジャイル装置による占有が検出される場合、アジャイル装置は、そのアジャイル装置に対する他のチャネルの利用可能性に基づいて、すなわち、充分な代替チャネルが利用できるか否かに基づいて、チャネルを空けることができ、又は空けることができない。
【発明を実施するための最良の形態】
【０００７】
以下の説明は説明のために提供されており、制限するためのものではないことが、当業者によって理解されるべきである。当業者は、多くのバリエーションが本発明の精神及び添付の特許請求の範囲内にあることを理解する。既知の機能及び動作の不必要な詳細は、本発明を分かり難くしないために、この説明から省略される場合がある。
【０００８】
図4及び5に示される一般化されたアプローチの好ましい実施の形態において、タイプ2のスペクトルアジャイル無線401.jは、周波数スペクトラム507をスキャンして、備えられた情報要素処理モジュール506を用いてスペクトラム占有測定結果のデータベース505を維持する。アジャイル装置がスキャンの結果としてローカルに維持するこのデータベース505に基づいて、アジャイル装置401.jは、プライマリ402.j又は他のセカンダリ403.jによって用いられてないスペクトラムの部分のキャリアをオンに切り替えることを決定することができる。好ましい実施の形態において、この切り替え決定は、アジャイル装置中に備えられるキャリア切替モジュール503によって達成されて、モジュール503はスペクトラム占有データベース505を分析する。
【０００９】
好ましい実施の形態において、本発明のシステム、装置及び方法は次のように動作する。第１に、アジャイル装置401.jは、周波数スペクトラムをN個の小さなチャネル507に分割する。そして、アジャイル装置401.jは、備えられた受信機502によって同時に受信される各々のNチャネルを監視し、特定の長さの時間（例えばT）の間に受信されたNチャネル507の各々をスキャンする。そして、備えられたキャリア切替モジュール502を用いて、アジャイル装置401.jは、これらの受信されたNチャネル507の占有の測定結果によってスペクトラム占有データベース505を更新する。アジャイル装置401.jがNチャネル507のいくつかの部分が使用されてないことを発見する場合、それはNチャネル507のそれらの部分のキャリアをオンにして、測定されたプライマリ402.j又はセカンダリ403.jによって占有されるNチャネル507のそれらの部分のキャリアをオフにする。
【００１０】
アジャイル装置401.jが送信するデータを持たない場合、アジャイル装置401.jはいつでも全てのNチャネル507をリスンする。アジャイル装置401.jは、そのローカルデータベース505を更新し、測定結果及びデータベース505の更新に基づいて、特定のキャリアをオンにする決定、又は特定のキャリアをオンしない決定を行う。アジャイル装置401.jが、そのキャリアがオンにされたチャネルの１つがなんらかの新たな占有を持つことを発見する場合、アジャイル装置401.jは、それがプライマリ402.jの占有なのか又はセカンダリ403.jの占有なのかを検出する。それがプライマリ402.jの占有である場合、アジャイル装置401.jは、対応するキャリアをオフにすることによって直ちにチャネルから離れる。
【００１１】
プライマリの波形のシグニチャが例えば備えられたデータベース508中に記憶されて既に知られており、アジャイル装置401.jによって検出可能であるという事実に基づいて、プライマリ402.jの占有は検出される。一例として、検出される占有がTV帯域中である場合、アジャイル装置はアナログ及びデジタルTV両方の同期パルスのシグニチャを知っている。
【００１２】
それがセカンダリ403.jの占有である場合、アジャイル装置401.jはチャネルを空けることを決定することができ、又は決定することができない。スペクトラムの他の部分に十分な機会を検出することができる場合、アジャイル装置401.jはチャネルを空けることを決定することができる。しかし、アジャイル装置401.jが充分なスペクトラム利用可能度がないことを検出する場合、その時はアジャイル無線は他のセカンダリ403.jと共存することを決定することができる。
【００１３】
アジャイル装置401.jがスペクトラムをN個の小さなチャネル507に分割したと仮定する（"i"=1,・・・,N）。図1を参照して、ステップ101においてチャネルをスキャンする時刻であることが決定される場合、ステップ102においてカウンタ"i"がゼロに等しくセットされる。
【００１４】
ステップ103において、カウンタ"i"は１増加され、チャネル"i"がスキャンされて測定結果が取得される。
【００１５】
ステップ105においてチャネル"i"が占有されていないことが決定される場合、ステップ112が実行される。
【００１６】
ステップ105においてチャネル"i"が占有されていることが決定される場合、占有されたチャネルがプライマリ402.jにより占有されているかがステップ106においてさらに決定される。チャネル"i"がプライマリ402.jにより占有される場合、ステップ113においてデータベース505が更新され、アジャイル装置401.jは、ステップ114においてキャリアをオフにすることによりチャネル"i"を一時的に停止する。ステップ115においてチャネル"i"が最後のチャネルである場合、ステップ101が実行される。さもなければ、スペクトラムのスキャンを継続するために、ステップ103が実行される。
【００１７】
ステップ106において、チャネルがプライマリ402.jによって占有されていることが決定される場合、ステップ113においてデータベース505が測定結果によって更新され、アジャイル装置401.jはキャリアをオフにすることによってチャネル"i"を停止する。ステップ115において、これが最後のチャネルであることが決定される場合、ステップ101が実行される。さもなければ、ステップ103が実行される。
【００１８】
チャネルがプライマリ402.jにより占有されていないことがステップ106において決定される場合、ステップ107においてデータベース505が更新され、チャネル"i"がセカンダリによって占有されているか否かがステップ108においてさらに決定され、占有されていない場合には、ステップ112が実行される。ステップ108において、チャネル"i"がセカンダリ403.jによって占有されていることが決定される場合、ステップ109において十分なスペクトラム資源があるかどうかが決定される。十分なスペクトラム資源がある場合、アジャイル装置はこのチャネルを日和見主義的に横取りせずに、ステップ110においてこの資源から離れ、ステップ111を実行することによって他のスペクトラム機会に移行する。さもなければ、ステップ112が実行される。
【００１９】
ステップ111において、スペクトラム機会が占有されているか否かを記録するためにデータベース505は更新される。そしてステップ104において、これが最後のチャネルの場合、ステップ103が実行される。さもなければ、ステップ101が実行される。
【００２０】
ステップ112において、アジャイル装置は、チャネル"i"の現在のスペクトラム機会を占有するために対応するキャリアをオンにする。
【００２１】
しかし、FCC規則が、一旦プライマリ402.iが検出されるならば、チャネルがアジャイル装置によって直ちに空にされることを命令するので、図1のアルゴリズムだけでは充分でない。アジャイル装置がリスンしている又は受信しているときは、チャネルを空けることは簡単である。しかし、アジャイル装置が送信しているときにチャネルを空けることは難しい。
【００２２】
アジャイル装置がスペクトラム利用可能度に基づいて周波数帯域の全体又は一部において送信するとき、アジャイル装置は常に受信機MACが肯定応答することを予想する。発信源MACが継続時間ACKTimeoutの間待った場合、アジャイル装置はプライマリ402.jとの衝突があることを決定することができ、ACKTimeoutがセカンダリ403.jとの衝突の結果であったのか、又はその時刻に達してその送信を再開するプライマリ402.jのせいなのかを決定する他の方法がないので、直ちにチャネルを空けることになる。
【００２３】
この問題は、以下の可能性を考慮して、本発明のシステム、装置及び方法において対処される。
【００２４】
1. そのチャネルにおけるプライマリ402.jの占有が、セカンダリ403.jからの１フレーム間の送信時間よりも長いと仮定する。プリアンブルヘッダが受信機MACによって正しく受信され、プリアンブル修正シーケンス（preamble correcting sequence: PCS）がクリアされたがFCSがクリアされない場合を考えると、受信機MACは、それが同じタイプ及びプロトコルの他の装置との衝突であると仮定することができ、そして、フェージング、又は受信機MACと同じタイプの他のセカンダリ装置403.jとの衝突のようなチャネル状況のせいでフレームが失われたことを確認するために送信機によって用いられるNACKフレームを送信機に示すことができる。
【００２５】
2. 送信機がPCSの失敗を理由としたNACKを受信せず、又はACKがタイムアウトした他の場合を考える。その時、送信機は直ちに現在のチャネルを空ける。他の受動リスン装置は、プライマリ402.jのシグニチャを確認すると、このチャネルを手放し、対応するキャリアをオフに切り替えることによって現在のチャネルを手放す。プライマリ送信がない場合、他の装置はそれらのキャリアをオフにしない。ACKタイムアウトのこの場合において、プライマリ402.jからのなんらかの活動があるかを確認するために、送信機は追加の時間（「検知時間」と呼ばれる）の間待機する。それがプライマリシグニチャを検出しない場合、それは、チャネルフェージング又は衝突のいずれかが原因であることを認識し、チャネルのキャリアをオフにすることはできない。
【００２６】
アンダーレイアプローチが必要とされる。アンダーレイアプローチにおいて、既存のプライマリ402.j及びセカンダリ403.jネットワークに対する干渉がないように、アジャイル装置はノイズフロア以下でその情報を送信する。このアジャイル装置が動作している全周波数空間がfとして与えられるとする。その時、f/f0は、アジャイル装置が動作しているスペクトラムに存在するチャネルの数を表す。現在の技術を考えると、fの値は7GHz（アジャイル無線が3GHzから10GHzで動作すると仮定する）である。一例として、f0は20MHzとほぼ同程度であることができる。その時、7GHzの所与の帯域中のチャネルの総数は、
N = f/f0 = (7×109)/(20×106) = 3500
である。
【００２７】
いくつかの既存の規格の各々のための本発明のシステム及び方法の好ましい実施の形態は、次の通りである。
【００２８】
1. MBOA UWB MAC：
現在のMBOA PHYが図1で概説されるプロトコルを実行すると仮定する。スペクトラムが利用しやすい２つの代わりの好ましい実施の形態がある。第１の好ましい実施の形態において、送信機は、そのビーコンにおいて利用可能なスペクトラムバンド幅を示し、同様の情報のために、宛て先を、それらがそれらのビーコン（例えば情報要素処理モジュール506により処理されるSOIE）を送信した時に監視する。開始周波数オフセット及び利用可能チャネルの継続時間と共にDRP情報要素が現在のMBOA MAC DEVグループにおいて示されるのと同様にそれらの利用可能なチャネルを信号で伝えることができる。スペクトラム情報の両方のセットの論理積は、特定の宛て先へ通信するために送信機によって使用される。ビーコンフレームがアンダーレイアプローチを使用して送信されるので、全てのアジャイル装置は全チャネルを使用し、隠されたノードの情報を交換する。ビーコン期間は、固定され、MBOA MACプロトコルにおいて規定されるようにスーパーフレーム毎に現れる。この解決案は、MBOA UWBに特有であり、802.11におけるようにMACが単にCSMA/CAに基づく場合、適切でない。スペクトラム占有情報要素200は、図2に示される。
【００２９】
周期性フィールド201は、スペクトラム占有が周期的か否かを示す。周期性ビットが1にセットされる場合、スペクトラム範囲フィールド 202は周期性フィールド201が適用されるスペクトラムの範囲を決定する。そして、周波数オフセット203及びキャリア数204が繰り返す。スペクトラム範囲フィールド202はさらに詳しく述べられ、図3中に示される。
【００３０】
2. IEEE 802.11及びその拡張：
IEEE 802.11及びその拡張のための好ましい実施の形態において、RTSメッセージはスペクトラム占有情報要素（SOIE）200の追加によって延長され、それらはアンダーレイアプローチを用いて受信機にそれらのスペクトラム機会の性質を示す。受信機は可能なスペクトラム周波数によるアンダーレイアプローチにおいて応答し、双方とも互いのスペクトラム利用可能度のAND演算を実行し、送信機はフレームを送信するためにこれらの共通のスペクトラム機会を使用し、受信機は、RTS及びCTSの後、送信されたデータフレームを受信するためにこれらの共通のスペクトラム機会を使用する。SOIE 200はオーバーレイアプローチを使用している特定の装置による現在の占有を示すためにRTS中に追加され、受信機はそのCTSメッセージ中の同様のフィールドによって応答する。
【００３１】
3. Bluetooth、IEEE 802.15.3及びIEEE 802.16のようなその他のTDDプロトコルを含むTDMAプロトコル：
これらのプロトコルのための好ましい実施の形態において、スロットのうちの1つは、ビーコンフレーム送信後のスーパーフレーム中の放送スロット専用である。これらが集中型のプロトコルであるので、基地局又は中央制御装置が、全てのチャネル測定のために最後のスーパーフレームにおいて全ての受信機から情報を収集し、それ自身の測定結果に基づくAND演算を行い、現在のスーパーフレームにおいて使用されることができるスペクトラム機会をステーションに示す。
【００３２】
4. FDMAプロトコル：
FDMAプロトコルのための好ましい実施の形態において、より小さいバンド幅を持っているチャネルのうちの１つが、TDMA様式又は競合ベース様式で全てのステーションよって排他的に使用され、送信機は、そのチャネルを取り込み、それが特定の受信機にフレームを送信するために使用する予定であるスペクトラム機会を送信するためにSOIE 200を使用する。受信機は、制御チャネル中のACKフレームとしてそのスペクトラム機会に応答し、前述の通り、利用可能なスペクトラム機会のAND演算が、フレームを送信するスペクトラム機会を決定するために行われる。
【００３３】
本発明の好ましい実施の形態が示され及び説明されたが、本明細書において説明されたプロトコルアプリケーションは例であって、本発明の真の範囲から逸脱することなく、さまざまな変更及び修正が行われることができ、均等物はその要素と置換されることができることが当業者によって理解される。加えて、多くの修正が、その中心的な範囲から逸脱することなく、特定の状況に本発明の教示を適応させるために行われることができる。したがって、本発明は、本発明を実行するために考えられる最良の形態として開示された特定の実施の形態に限られず、本発明は添付の特許請求の範囲に入る全ての実施の形態を含むことが意図されている。
【図面の簡単な説明】
【００３４】
【図１】プライマリ検出に基づくキャリア切り替えの高水準フローチャート。
【図２】スペクトラム占有情報要素（Spectrum Occupancy Information Element）のフォーマットを示す図。
【図３】図2のスペクトラム占有情報要素のスペクトラム範囲（Range of Spectrum）フィールドのフォーマットを示す図。
【図４】スペクトラムをプライマリ及びセカンダリ装置と共有しているアジャイル装置を示す図。
【図５】本発明によって改良されたアジャイル無線を示す図。
【図１】
2008545318.tif 000003
【図２】
2008545318.tif 000004
【図３】
2008545318.tif 000005
【図４】
2008545318.tif 000006
【図５】
2008545318.tif 000007
【国際調査報告】
2008545318.tif 000008